(57)【要約】【課題】部品点数の低減を図りつつ、液晶パネルの輝度を別々に調整できるようにする。【解決手段】第１のＬＥＤバックライト３０を駆動する第１のＰＷＭ信号と、第２のＬＥＤバックライト８０を駆動する第１のＰＷＭ信号を予め定められた期間毎に交互に送出するＣＰＵ６０と、第１のＰＷＭ信号を送出させている期間中には、第１のＰＷＭ信号のパルス幅に応じた電流がバックライト３０に流れるようにし、第２のＰＷＭ信号を送出させている期間中には、第２のＰＷＭ信号のパルス幅に応じた電流がバックライト８０に流れるように電流切替制御を行う。【選択図】図３
2011191658.tif 000002
【特許請求の範囲】
【請求項１】
第１の液晶パネル(１ａ)を有する第１の表示装置（１）と、第２の液晶パネル（２ａ）を有する第２の表示装置（２）と、を備えた液晶表示システムであって、
前記第１の表示装置（１）は、前記第１の液晶パネル(１ａ)を背面側から照明するＬＥＤ（３１ａ〜３１ｄ、３２ａ〜３２ｄ、３３ａ〜３３ｄ、３４ａ〜３４ｄ）を有する第１のＬＥＤバックライト（３０）を備え、
前記第２の表示装置（２）は、前記第２の液晶パネル(２ａ)を背面側から照明するＬＥＤ（８１ａ〜８１ｄ、８２ａ〜８２ｄ、８３ａ〜８３ｄ、８４ａ〜８４ｄ）を有する第２のＬＥＤバックライト（８０）を備え、
前記第１のＬＥＤバックライト（３０）のＬＥＤ（３１ａ〜３１ｄ、３２ａ〜３２ｄ、３３ａ〜３３ｄ、３４ａ〜３４ｄ）を駆動するための第１のＰＷＭ信号と前記第２のＬＥＤバックライト（８０）のＬＥＤ（８１ａ〜８１ｄ、８２ａ〜８２ｄ、８３ａ〜８３ｄ、８４ａ〜８４ｄ）を駆動するための第２のＰＷＭ信号を予め定められた期間毎に交互に送出するパルス信号送出回路（６０）と、
前記パルス信号送出回路（６０）より前記第１のＰＷＭ信号が送出されている期間中には、当該第１のＰＷＭ信号のパルス幅に応じた電流が前記第１のＬＥＤバックライト（３０）に備えられた前記ＬＥＤ（３１ａ〜３１ｄ、３２ａ〜３２ｄ、３３ａ〜３３ｄ、３４ａ〜３４ｄ）に流れるようにし、前記パルス信号送出回路（６０）より前記第２のＰＷＭ信号が送出されている期間中には、当該第２のＰＷＭ信号のパルス幅に応じた電流が前記第２のＬＥＤバックライト（８０）に備えられた前記ＬＥＤ（８１ａ〜８１ｄ、８２ａ〜８２ｄ、８３ａ〜８３ｄ、８４ａ〜８４ｄ）に流れるように電流切替制御を行う制御回路（４０、５０）と、を備えたことを特徴とする液晶表示システム。
【請求項２】
前記第１のＬＥＤバックライト（３０）に備えられた前記ＬＥＤ（３１ａ〜３１ｄ、３２ａ〜３２ｄ、３３ａ〜３３ｄ、３４ａ〜３４ｄ）の順方向降下電圧に基づいて当該第１のＬＥＤバックライト（３０）に対して電源の電圧を最適化した第１の定電圧を生成するとともに、前記第２のＬＥＤバックライト（８０）に備えられた前記ＬＥＤ（８１ａ〜８１ｄ、８２ａ〜８２ｄ、８３ａ〜８３ｄ、８４ａ〜８４ｄ）の順方向降下電圧に基づいて当該第２のＬＥＤバックライト（８０）に対して電源の電圧を最適化した第２の定電圧を生成する電源回路（２０）を備え、
前記制御回路（４０、５０）は、前記パルス信号送出回路（６０）より前記第１のＰＷＭ信号が送出されている期間中には、前記電源回路（２０）により生成された前記第１の定電圧を前記第１のＬＥＤバックライト（３０）に供給させ、前記パルス信号送出回路（６０）より前記第２のＰＷＭ信号が送出されている期間中には、前記電源回路（２０）により生成された前記第２の定電圧を前記第２のＬＥＤバックライト（８０）に供給させるように、前記電源回路（２０）を制御することを特徴とする請求項１に記載の液晶表示システム。
【請求項３】
前記制御回路（４０、５０）は、前記第１のＬＥＤバックライト（３０）に備えられた前記ＬＥＤ（３１ａ〜３１ｄ、３２ａ〜３２ｄ、３３ａ〜３３ｄ、３４ａ〜３４ｄ）と前記第２のＬＥＤバックライト（８０）に備えられた前記ＬＥＤ（８１ａ〜８１ｄ、８２ａ〜８２ｄ、８３ａ〜８３ｄ、８４ａ〜８４ｄ）を駆動するための共通のＬＥＤ駆動用トランジスタ（４１〜４４）を備え、
前記電源回路（２０）により生成された前記第１の定電圧が前記第１のＬＥＤバックライト（３０）に供給され、前記電源回路（２０）により生成された前記第２の定電圧が前記第２のＬＥＤバックライト（８０）に供給されていない期間中には、前記ＬＥＤ駆動用トランジスタ（４１〜４４）により前記第１のＬＥＤバックライト（３０）に備えられた前記ＬＥＤ（３１ａ〜３１ｄ、３２ａ〜３２ｄ、３３ａ〜３３ｄ、３４ａ〜３４ｄ）に、前記第１のＰＷＭ信号のパルス幅に応じた電流が流れるようにし、前記電源回路（２０）により生成された前記第２の定電圧が前記第２のＬＥＤバックライト（８０）に供給され、前記電源回路（２０）により生成された前記第１の定電圧が前記第１のＬＥＤバックライト（３０）に供給されていない期間中には、前記ＬＥＤ駆動用トランジスタ（４１〜４４）により前記第２のＬＥＤバックライト（８０）に備えられた前記ＬＥＤ（８１ａ〜８１ｄ、８２ａ〜８２ｄ、８３ａ〜８３ｄ、８４ａ〜８４ｄ）に、前記第２のＰＷＭ信号のパルス幅に応じた電流が流れるようになっていることを特徴とする請求項２に記載の液晶表示システム。
【請求項４】
前記パルス信号送出回路（６０）および前記制御回路（５０）は、前記第１、第２の表示装置（１、２）のいずれか１つに内蔵されており、
前記第１、第２の表示装置（１、２）のうち、前記パルス信号送出回路（６０）および前記制御回路（５０）が内蔵された表示装置には、前記第１のＬＥＤバックライト（３０）に備えられた前記ＬＥＤ（３１ａ〜３１ｄ、３２ａ〜３２ｄ、３３ａ〜３３ｄ、３４ａ〜３４ｄ）に流れる電流の大きさと、前記第２のＬＥＤバックライト（８０）に備えられた前記ＬＥＤ（８１ａ〜８１ｄ、８２ａ〜８２ｄ、８３ａ〜８３ｄ、８４ａ〜８４ｄ）に流れる電流の大きさとを、それぞれ調整するための操作部（７０）が設けられていることを特徴とする請求項１ないし３のいずれか１つに記載の液晶表示システム。
【発明の詳細な説明】
【技術分野】
【０００１】
本発明は、第１の液晶パネルを有する第１の表示装置と第２の液晶パネルを有する第２の表示装置を備えた液晶表示システムに関するものである。
【背景技術】
【０００２】
従来、液晶パネルを背面側から照明するＬＥＤを有するＬＥＤバックライトを備え、パルス幅変調されたＰＷＭ信号に応じてＬＥＤバックライトに設けられたＬＥＤを駆動するようにした液晶表示装置がある（例えば、特許文献１参照）。
【先行技術文献】
【特許文献】
【０００３】
【特許文献１】特開２００９−３２４９７号公報
【発明の概要】
【発明が解決しようとする課題】
【０００４】
近年、上記したような液晶表示装置は、運転席用と助手席用、インストルメント・パネルの中央部とメータ周辺、運転席等の前部座席用と後部座席用、といったように、車両の各部に複数搭載されるようになってきている。
【０００５】
しかし、これらの液晶表示装置は、それぞれ独立して別々に構成されており、ＬＥＤバックライトに設けられたＬＥＤを駆動するＬＥＤ駆動回路、ＬＥＤ駆動回路に対してパルス幅変調されたＰＷＭ信号を出力するＣＰＵ、車載バッテリからの入力電圧を昇圧してＬＥＤ駆動回路に供給する電源回路等も別々に設けられているため、部品点数が多くコストが高くなるといった問題がある。
【０００６】
そこで、上記したＬＥＤ駆動回路、ＣＰＵ、電源回路等を共通化して、複数の液晶表示装置を備えた液晶表示システムとした構成とすることが有効と考えられる。
【０００７】
しかし、このように制御回路およびＣＰＵ等を共通化してしまうと、複数の液晶表示装置の各ＬＥＤバックライトが、同一のＰＷＭ信号で駆動されることになり、各液晶表示装置の輝度を別々に調整できなくなってしまうといった問題が生じる。
【０００８】
特に、車両に搭載される液晶表示装置は、搭載位置によって外光による影響も異なってくるため、各液晶表示装置の輝度を別々に調整することができないと使い勝手がよくない。また、映像ソース（例えば、地図表示、ＤＶＤ再生表示）等によっても最適輝度が異なるため、各液晶表示装置の輝度を別々に調整することができないと使い勝手がよくない。
【０００９】
本発明は上記問題に鑑みたもので、部品点数の低減を図りつつ、液晶パネルの輝度を別々に調整できるようにすることを目的とする。
【課題を解決するための手段】
【００１０】
上記目的を達成するため、請求項１に記載の発明は、第１の液晶パネル(１ａ)を有する第１の表示装置（１）と、第２の液晶パネル（２ａ）を有する第２の表示装置（２）と、を備えた液晶表示システムであって、第１の表示装置（１）は、第１の液晶パネル(１ａ)を背面側から照明するＬＥＤ（３１ａ〜３１ｄ、３２ａ〜３２ｄ、３３ａ〜３３ｄ、３４ａ〜３４ｄ）を有する第１のＬＥＤバックライト（３０）を備え、第２の表示装置（２）は、第２の液晶パネル(２ａ)を背面側から照明するＬＥＤ（８１ａ〜８１ｄ、８２ａ〜８２ｄ、８３ａ〜８３ｄ、８４ａ〜８４ｄ）を有する第２のＬＥＤバックライト（８０）を備え、第１のＬＥＤバックライト（３０）のＬＥＤ（３１ａ〜３１ｄ、３２ａ〜３２ｄ、３３ａ〜３３ｄ、３４ａ〜３４ｄ）を駆動するための第１のＰＷＭ信号と第２のＬＥＤバックライト（８０）のＬＥＤ（８１ａ〜８１ｄ、８２ａ〜８２ｄ、８３ａ〜８３ｄ、８４ａ〜８４ｄ）を駆動するための第２のＰＷＭ信号を予め定められた期間毎に交互に送出するパルス信号送出回路（６０）と、パルス信号送出回路（６０）より第１のＰＷＭ信号が送出されている期間中には、当該第１のＰＷＭ信号のパルス幅に応じた電流が第１のＬＥＤバックライト（３０）に備えられたＬＥＤ（３１ａ〜３１ｄ、３２ａ〜３２ｄ、３３ａ〜３３ｄ、３４ａ〜３４ｄ）に流れるようにし、パルス信号送出回路（６０）より第２のＰＷＭ信号が送出されている期間中には、当該第２のＰＷＭ信号のパルス幅に応じた電流が第２のＬＥＤバックライト（８０）に備えられたＬＥＤ（８１ａ〜８１ｄ、８２ａ〜８２ｄ、８３ａ〜８３ｄ、８４ａ〜８４ｄ）に流れるように電流切替制御を行う制御回路（４０、５０）と、を備えたことを特徴としている。
【００１１】
このような構成によれば、第１のＬＥＤバックライト（３０）のＬＥＤ（３１ａ〜３１ｄ、３２ａ〜３２ｄ、３３ａ〜３３ｄ、３４ａ〜３４ｄ）を駆動するための第１のＰＷＭ信号と第２のＬＥＤバックライト（８０）のＬＥＤ（８１ａ〜８１ｄ、８２ａ〜８２ｄ、８３ａ〜８３ｄ、８４ａ〜８４ｄ）を駆動するための第２のＰＷＭ信号を予め定められた期間毎に交互に送出し、第１のＰＷＭ信号を送出している期間中には、当該第１のＰＷＭ信号のパルス幅に応じた電流が第１のＬＥＤバックライト（３０）に備えられたＬＥＤ（３１ａ〜３１ｄ、３２ａ〜３２ｄ、３３ａ〜３３ｄ、３４ａ〜３４ｄ）に流れ、第２のＰＷＭ信号を送出している期間中には、当該第２のＰＷＭ信号のパルス幅に応じた電流が第２のＬＥＤバックライト（８０）に備えられたＬＥＤ（８１ａ〜８１ｄ、８２ａ〜８２ｄ、８３ａ〜８３ｄ、８４ａ〜８４ｄ）に流れるように電流切替制御が行われるので、パルス信号送出回路（６０）および制御回路（５０）を共通化しても、液晶パネルの輝度を別々に調整できる。また、部品点数の低減を図ることもできる。
【００１２】
また、請求項２に記載の発明は、第１のＬＥＤバックライト（３０）に備えられたＬＥＤ（３１ａ〜３１ｄ、３２ａ〜３２ｄ、３３ａ〜３３ｄ、３４ａ〜３４ｄ）の順方向降下電圧に基づいて当該第１のＬＥＤバックライト（３０）に対して電源の電圧を最適化した第１の定電圧を生成するとともに、第２のＬＥＤバックライト（８０）に備えられたＬＥＤ（８１ａ〜８１ｄ、８２ａ〜８２ｄ、８３ａ〜８３ｄ、８４ａ〜８４ｄ）の順方向降下電圧に基づいて当該第２のＬＥＤバックライト（８０）に対して電源の電圧を最適化した第２の定電圧を生成する電源回路（２０）を備え、制御回路（４０、５０）は、パルス信号送出回路（６０）より第１のＰＷＭ信号が送出されている期間中には、電源回路（２０）により生成された第１の定電圧を第１のＬＥＤバックライト（３０）に供給させ、パルス信号送出回路（６０）より第２のＰＷＭ信号が送出されている期間中には、電源回路（２０）により生成された第２の定電圧を第２のＬＥＤバックライト（８０）に供給させるように、電源回路（２０）を制御することを特徴としている。
【００１３】
このような構成によれば、第１のＬＥＤバックライト（３０）に備えられたＬＥＤ（３１ａ〜３１ｄ、３２ａ〜３２ｄ、３３ａ〜３３ｄ、３４ａ〜３４ｄ）の順方向降下電圧に基づいて当該第１のＬＥＤバックライト（３０）に対して電源の電圧を最適化した第１の定電圧を生成するとともに、第２のＬＥＤバックライト（８０）に備えられたＬＥＤ（８１ａ〜８１ｄ、８２ａ〜８２ｄ、８３ａ〜８３ｄ、８４ａ〜８４ｄ）の順方向降下電圧に基づいて当該第２のＬＥＤバックライト（８０）に対して電源の電圧を最適化した第２の定電圧を生成する電源回路（２０）を備え、制御回路（４０、５０）は、パルス信号送出回路（６０）より第１のＰＷＭ信号が送出されている期間中には、電源回路（２０）により生成された第１の定電圧を第１のＬＥＤバックライト（３０）に供給させ、パルス信号送出回路（６０）より第２のＰＷＭ信号が送出されている期間中には、電源回路（２０）により生成された第２の定電圧を第２のＬＥＤバックライト（８０）に供給させるように、電源回路（２０）が制御されるので、電源回路（２０）を共通化しつつ、電源電圧の最適化を図ることができる。
【００１４】
また、請求項３に記載の発明は、制御回路（４０、５０）は、第１のＬＥＤバックライト（３０）に備えられたＬＥＤ（３１ａ〜３１ｄ、３２ａ〜３２ｄ、３３ａ〜３３ｄ、３４ａ〜３４ｄ）と第２のＬＥＤバックライト（８０）に備えられたＬＥＤ（８１ａ〜８１ｄ、８２ａ〜８２ｄ、８３ａ〜８３ｄ、８４ａ〜８４ｄ）を駆動するための共通のＬＥＤ駆動用トランジスタ（４１〜４４）を備え、電源回路（２０）により生成された第１の定電圧が第１のＬＥＤバックライト（３０）に供給され、電源回路（２０）により生成された第２の定電圧が第２のＬＥＤバックライト（８０）に供給されていない期間中には、ＬＥＤ駆動用トランジスタ（４１〜４４）により第１のＬＥＤバックライト（３０）に備えられたＬＥＤ（３１ａ〜３１ｄ、３２ａ〜３２ｄ、３３ａ〜３３ｄ、３４ａ〜３４ｄ）に、第１のＰＷＭ信号のパルス幅に応じた電流が流れるようにし、電源回路（２０）により生成された第２の定電圧が第２のＬＥＤバックライト（８０）に供給され、電源回路（２０）により生成された第１の定電圧が第１のＬＥＤバックライト（３０）に供給されていない期間中には、ＬＥＤ駆動用トランジスタ（４１〜４４）により第２のＬＥＤバックライト（８０）に備えられたＬＥＤ（８１ａ〜８１ｄ、８２ａ〜８２ｄ、８３ａ〜８３ｄ、８４ａ〜８４ｄ）に、第２のＰＷＭ信号のパルス幅に応じた電流が流れるようになっていることを特徴としている。
【００１５】
このような構成によれば、第１のＬＥＤバックライト（３０）に備えられたＬＥＤ（３１ａ〜３１ｄ、３２ａ〜３２ｄ、３３ａ〜３３ｄ、３４ａ〜３４ｄ）と第２のＬＥＤバックライト（８０）に備えられたＬＥＤ（８１ａ〜８１ｄ、８２ａ〜８２ｄ、８３ａ〜８３ｄ、８４ａ〜８４ｄ）を駆動するためのＬＥＤ駆動用トランジスタ（４１〜４４）を共用することができ、部品点数を削減することが可能である。
【００１６】
また、請求項４に記載の発明は、パルス信号送出回路（６０）および制御回路（５０）は、第１、第２の表示装置（１、２）のいずれか１つに内蔵されており、第１、第２の表示装置（１、２）のうち、パルス信号送出回路（６０）および制御回路（５０）が内蔵された表示装置には、第１のＬＥＤバックライト（３０）に備えられたＬＥＤ（３１ａ〜３１ｄ、３２ａ〜３２ｄ、３３ａ〜３３ｄ、３４ａ〜３４ｄ）に流れる電流の大きさと、第２のＬＥＤバックライト（８０）に備えられたＬＥＤ（８１ａ〜８１ｄ、８２ａ〜８２ｄ、８３ａ〜８３ｄ、８４ａ〜８４ｄ）に流れる電流の大きさとを、それぞれ調整するための操作部（７０）が設けられていることを特徴としている。
【００１７】
このような構成によれば、各バックライト（３０）に備えられた各ＬＥＤに流れる電流の調整を１つの操作部（７０）でできる。すなわち、１つの操作部（７０）１つで第１、第２の表示装置（１、２）の輝度調整を行うことができる。例えば、乗員の手元に配置される表示装置に操作部を備えることにより、遠方に配置された表示装置の輝度調整を手元で操作することも可能である。
【００１８】
なお、この欄および特許請求の範囲で記載した各手段の括弧内の符号は、後述する実施形態に記載の具体的手段との対応関係を示すものである。
【図面の簡単な説明】
【００１９】
【図１】本発明の第１実施形態に係る液晶表示システムの全体構成を示す図である。
【図２】本発明の第１実施形態に係る液晶表示システムのブロック構成を示す図である。
【図３】制御信号等の波形について説明するための図である。
【図４】本発明の第２実施形態に係る液晶表示システムのブロック構成を示す図である。
【図５】制御信号等の波形について説明するための図である。
【発明を実施するための形態】
【００２０】
（第１実施形態）
本発明の第１実施形態に係る液晶表示システムの全体構成を図１に示す。本液晶表示システムは、第１の液晶パネル１ａを有する第１の液晶表示装置１、第２の液晶パネル２ａを有する第２の液晶表示装置２および接続線３を備えている。また、この図に示すように、第１の液晶表示装置１と第２の液晶表示装置２は、別体として構成されている。
【００２１】
図２に、本液晶表示システムのブロック構成を示す。図２に示すように、本液晶表示システムは、車載バッテリ１０より電力供給を受けて動作する。
【００２２】
第１の液晶表示装置１は、図１中に示した第１の液晶パネル１ａ（図２では省略する）、ＤＣ／ＤＣコンバータ２０、バックライト３０、ＬＥＤ駆動回路４０、制御回路５０、ＣＰＵ６０（パルス信号送出回路に相当する）および操作部７０を備えている。また、第２の液晶表示装置２は、図１中に示した第２の液晶パネル２ａ（図２では省略する）およびバックライト８０を備えている。
【００２３】
すなわち、本液晶表示システムにおけるＤＣ／ＤＣコンバータ２０、ＬＥＤ駆動回路４０、制御回路５０、ＣＰＵ６０および操作部７０は共通化され、第１の液晶表示装置１に内蔵された構成となっている。
【００２４】
ＤＣ／ＤＣコンバータ２０は、機器の内部電源１０からの車載バッテリ１０からの入力電圧Ｖｉｎを昇圧して、バックライト３０に供給するための電圧を出力する昇圧型の電源回路である。
【００２５】
ＤＣ／ＤＣコンバータ２０の入力端子Ａとグランド間には、平滑コンデンサ２１が設けられている。また、入力端子Ａとグランド間には、直列に接続されたコイル２２とＮチャネル型ＭＯＳトランジスタ２３が設けられている。また、コイル２２とＮチャネル型ＭＯＳトランジスタ２３の接続点Ｂとグランド間には、直列に接続されたダイオード２４とコンデンサ２５が設けられている。このトランジスタ２３をスイッチング制御することにより、車載バッテリ１０からの入力電圧Ｖｉｎを昇圧した出力電圧Ｖｏが出力端子Ｃから出力されるようになっている。出力端子Ｃとグランド間には、直列に接続された抵抗２６ａ、２６ｂが設けられている。出力端子Ｃの出力電圧Ｖｏを抵抗２６ａ、２６ｂで分圧した電圧が制御回路のモニタ端子Ｍｏｎに入力されるようになっている。
【００２６】
バックライト３０は、第１の液晶パネル１ａを背面側から照明するバックライトとして用いられるものであり、直列接続された発光ダイオード３１ａ〜３１ｄ、直列接続された３２ａ〜３２ｄ、直列接続された３３ａ〜３３ｄ、直列接続された３４ａ〜３４ｄおよびＰチャネル型ＭＯＳトランジスタ３３を備えている。
【００２７】
トランジスタ３３は、ＤＣ／ＤＣコンバータ２０の出力端子Ｃより供給される電力の切替を行うためのものである。トランジスタ３３のゲート端子には、ＣＰＵのイネーブル端子ＥＮ１よりインバータ６１を介してイネーブル信号が入力されるようになっている。このＣＰＵのイネーブル端子ＥＮ１よりハイレベルのイネーブル信号が出力されたときに、トランジスタ３３がオンしてＤＣ／ＤＣコンバータ２０の出力端子Ｃより電力が供給される。
【００２８】
バックライト８０は、第２の液晶パネル２ａを背面側から照明するバックライトとして用いられるものであり、発光ダイオード８１ａ〜８１ｄ、８２ａ〜８２ｄ、８３ａ〜８３ｄ、８４ａ〜８４ｄおよびＰチャネル型ＭＯＳトランジスタ８３を備えている。このバックライト８０の内部構成は、バックライト３０と同様となっている。また、トランジスタ８３のゲート端子には、ＣＰＵのイネーブル端子ＥＮ２よりインバータ６２を介してイネーブル信号が入力されるようになっている。このＣＰＵのイネーブル端子ＥＮ２よりハイレベルのイネーブル信号が出力されたときに、トランジスタ８３がオンしてＤＣ／ＤＣコンバータ２０の出力端子Ｃより電力が供給される。
【００２９】
ＬＥＤ駆動回路４０は、Ｎチャネル型ＭＯＳトランジスタ４１〜４４と、Ｎチャネル型ＭＯＳトランジスタ４５〜４８を備えている。
【００３０】
トランジスタ４１〜４４は、それぞれバックライト３０の発光ダイオード３１ａ〜３１ｄ、３２ａ〜３２ｄ、３３ａ〜３３ｄ、３４ａ〜３４ｄと、バックライト８０の発光ダイオード８１ａ〜８１ｄ、８２ａ〜８２ｄ、８３ａ〜８３ｄ、８４ａ〜８４ｄをそれぞれＰＷＭ制御するためのトランジスタである。これらのトランジスタ４１〜４４のゲート端子には、それぞれ制御回路５０のＳ１〜Ｓ４端子よりパルス幅変調されたＰＷＭ信号が入力される。
【００３１】
なお、本実施形態では、バックライト３０の各発光ダイオード３１ａ〜３１ｄ、３２ａ〜３２ｄ、３３ａ〜３３ｄ、３４ａ〜３４ｄを駆動するトランジスタと、バックライト８０の各発光ダイオード８１ａ〜８１ｄ、８２ａ〜８２ｄ、８３ａ〜８３ｄ、８４ａ〜８４ｄを駆動するトランジスタを、トランジスタ４１〜４４により共用する構成となっている。
【００３２】
トランジスタ４５〜４８は、それぞれバックライト３０の発光ダイオード３１ａ〜３１ｄ、３２ａ〜３２ｄ、３３ａ〜３３ｄ、３４ａ〜３４ｄと、バックライト８０の発光ダイオード８１ａ〜８１ｄ、８２ａ〜８２ｄ８３ａ〜８３ｄ、８４ａ〜８４ｄをそれぞれ定電流駆動するためのトランジスタである。これらのトランジスタ４５〜４８のゲート端子には、それぞれ制御回路５０のＣ１〜Ｃ４端子よりアナログの電流調整用信号が入力される。
【００３３】
制御回路５０は、ＤＣ／ＤＣコンバータ２０のトランジスタ２３をスイッチング制御するための制御信号を制御端子Ｃｏｎｔから出力するとともに、ＣＰＵ６０から入力されるパルス幅変調したパルス信号に応じた信号Ｓ１〜Ｓ４およびＣＰＵ６０から入力される定電流設定情報に応じたアナログの電流調整用信号Ｃ１〜Ｃ４を生成し、これらの生成した信号をＬＥＤ駆動回路４０へ出力してバックライト３０およびバックライト８０を駆動する。
【００３４】
制御回路５０の制御端子Ｃｏｎｔから出力される制御信号に応じてＮチャネル型ＭＯＳトランジスタ２２がオンすると、コイル２２に電流が流れ、エネルギーが蓄積される。そして、制御端子Ｃｏｎｔから出力される制御信号に応じてＮチャネル型ＭＯＳトランジスタ２２がオフすると、その間にコイル２２に蓄積されたエネルギーにより起電力が発生する。この電圧は入力電圧に重畳し整流ダイオード２４を通して出力コンデンサが充電される。このように、制御端子Ｃｏｎｔから出力される制御信号によるトランジスタ２２のスイッチング動作に応じて、出力端子Ｃの電圧Ｖｏは入力電圧より高い電圧となる。
【００３５】
また、検出電圧Ｖｄｅｔ１〜４のうち最も低い電圧が基準電圧Ｖｒｅｆまで上昇すると、制御回路５０の制御端子Ｃｏｎｔからの制御信号のＤｕｔｙが小さく制御される。このため、出力端子Ｃの電圧Ｖｏは低下する。そして、検出電圧Ｖｄｅｔ１〜４のうち最も低い電圧が予め定められた電圧まで低下すると、制御端子Ｃｏｎｔからの制御信号のＤｕｔｙが大きく制御され出力端子の電圧Ｖｏは上昇する。このように、制御回路５０は、フィードバック制御によりＤＣ／ＤＣコンバータ２０の出力電圧Ｖｏが一定となるようにしている。
【００３６】
ところで、バックライト３０、８０へ電力を供給する場合、直列接続された発光ダイオード３１ａ〜３１ｄと、３２ａ〜３２ｄと、３３ａ〜３３ｄと、３４ａ〜３４ｄの各順方向電圧Ｖｆのばらつき、および直列接続された発光ダイオード８１ａ〜８１ｄと、８２ａ〜８２ｄと、８３ａ〜８３ｄと、８４ａ〜８４ｄの各順方向電圧Ｖｆのばらつきを考慮して、順方向電圧Ｖｆの最も大きいものを駆動することが可能となるように出力電圧Ｖｏをある程度大きくする必要が生じる。しかし、出力電圧Ｖｏを無駄に大きくすると、ＬＥＤ駆動回路４０の損失が大きくなってしまう。
【００３７】
そこで、本実施形態における制御回路５０は、バックライト３０へ電力を供給する場合には、発光ダイオード３１ａ〜３１ｄと、３２ａ〜３２ｄと、３３ａ〜３３ｄと、３４ａ〜３４ｄのうち順方向電圧Ｖｆの最も大きいもの、すなわち順方向降下電圧の最も大きいものに合わせて電源の電圧を最適化した出力電圧Ｖｏを出力するようにＤＣ／ＤＣコンバータ２０に指示を出し、バックライト８０へ電力を供給する場合には、発光ダイオード８１ａ〜８１ｄと、８２ａ〜８２ｄと、８３ａ〜８３ｄと、８４ａ〜８４ｄのうち順方向電圧Ｖｆの最も大きいものに合わせて電源の電圧を最適化した出力電圧Ｖｏを出力するようにＤＣ／ＤＣコンバータ２０が自動的に制御する。
【００３８】
なお、ＬＥＤ駆動回路４０から入力される複数の検出電圧Ｖｄｅｔのうち特定の検出電圧Ｖｄｅｔが基準電圧Ｖｒｅｆと等しくなるように、１つのＤＣ／ＤＣコンバータのスイッチングトランジスタ（トランジスタ２３に相当する）をスイッチング制御する技術は公知技術（例えば、特開２００５−３３８５３号公報参照）である。
【００３９】
ＣＰＵ６０は、ＲＯＭ、ＲＡＭ、フラッシュメモリ等のメモリを有しており、ＲＯＭに記憶されたプログラムに従って各種処理を実施する。
【００４０】
本液晶表示システムでは、第１の液晶表示装置１に設けられた操作部７０を操作することにより、第１の液晶表示装置１の液晶パネル１ａの輝度と第２の液晶表示装置２の液晶パネル２ａの輝度を別々に調整できるようになっている。ユーザの操作部７０の操作に応じて各輝度が調整されると、調整された各調整値がＣＰＵ６０のフラッシュメモリに記憶されるようになっている。ＣＰＵ６０は、フラッシュメモリに記憶された調整値に従って、ＰＷＭ端子より出力するＰＷＭ信号のデューティー比を決定し、このデューティー比に応じたパルス幅のＰＷＭ信号を送出する。
【００４１】
また、ＣＰＵ６０は、各バックライト３０、８０への電源供給の繰り替えを行うための各イネーブル信号をイネーブル端子ＥＮ１、ＥＮ２から出力させるとともに、これらのイネーブル信号に同期させてバックライト３０の発光ダイオード３１ａ〜３１ｄと、３２ａ〜３２ｄと、３３ａ〜３３ｄを駆動するためのＰＷＭ信号（第１のＰＷＭ信号に相当する）とバックライト８０に備えられた発光ダイオード８１ａ〜８１ｄ、８２ａ〜８２ｄ、８３ａ〜８３ｄ、８４ａ〜８４ｄを駆動するためのＰＷＭ信号（第２のＰＷＭ信号に相当する）を交互に出力する。
【００４２】
次に、本バックライト制御装置１のバックライトの点灯制御について説明する。図３に、ＣＰＵ６０のＰＷＭ端子より出力されるＰＷＭ信号（図中、ＰＷＭと記す）、ＣＰＵ６０のイネーブル端子ＥＮ１より出力されるイネーブル信号（図中、ＥＮ１と記す）、ＣＰＵ６０のイネーブル端子ＥＮ２より出力されるイネーブル信号（図中、ＥＮ２と記す）、バックライト３０に設けられた各発光ダイオー３１ａ〜３１ｄ、３２ａ〜３２ｄ、３３ａ〜３３ｄ、３４ａ〜３４ｄに流れる各電流（図中、Ｉ３１／Ｉ３２／Ｉ３３／Ｉ３４と記す）、バックライト８０に設けられた各発光ダイオー８１ａ〜８１ｄ、８２ａ〜８２ｄ、８３ａ〜８３ｄ、８４ａ〜８４ｄに流れる各電流（図中、Ｉ８１／Ｉ８２／Ｉ８３／Ｉ８４と記す）の波形を示す。
【００４３】
ＣＰＵ６０は、バックライト３０を駆動するＰＷＭ信号をＰＷＭ端子より出力するとともに、ハイレベルのイネーブル信号をイネーブル端子ＥＮ１より出力する。なお、この期間中、ローレベルのイネーブル信号をイネーブル端子ＥＮ２より出力する。
【００４４】
制御回路５０は、ＣＰＵ６０のＰＷＭ信号をＳ１、Ｓ２、Ｓ３、Ｓ４端子より出力する。このとき、バックライト３０に設けられた発光ダイオード３１ａ〜３１ｄ、３２ａ〜３２ｄ、３３ａ〜３３ｄ、３４ａ〜３４ｄには、それぞれ、図中、Ｉ３１／Ｉ３２／Ｉ３３／Ｉ３４に示す波形の定電流が流れる。また、バックライト８０には電源が供給されないため、バックライト８０に設けられた発光ダイオード８１ａ〜８１ｄ、８２ａ〜８２ｄ、８３ａ〜８３ｄ、８３ａ〜８３ｄには、電流は流れない。
【００４５】
そして、一定期間Ｔ１が経過すると、ＣＰＵ６０は、バックライト８０を駆動するＰＷＭ信号をＰＷＭ端子より出力するとともに、ハイレベルのイネーブル信号をイネーブル端子ＥＮ２より出力する。なお、この期間中、ローレベルのイネーブル信号をイネーブル端子ＥＮ１より出力する。
【００４６】
制御回路５０は、ＣＰＵ６０のＰＷＭ信号をＳ１、Ｓ２、Ｓ３、Ｓ４端子より出力する。このとき、バックライト８０に設けられた発光ダイオード８１ａ〜８１ｄ、８２ａ〜８２ｄ、８３ａ〜８３ｄ、８４ａ〜８４ｄには、図中、Ｉ８１／Ｉ８２／Ｉ８３／Ｉ８４に示す波形の定電流が流れる、また、バックライト３０には電源が供給されないため、バックライト３０に設けられた発光ダイオード３１ａ〜３１ｄ、３２ａ〜３２ｄ、３３ａ〜３３ｄ、３３ａ〜３３ｄには、電流は流れない。
【００４７】
そして、一定期間Ｔ２が経過すると、ＣＰＵ６０は、再度、バックライト３０を駆動するＰＷＭ信号をＰＷＭ端子より出力するとともに、ハイレベルのイネーブル信号をイネーブル端子ＥＮ１より出力する。このような動作を短い周期で交互に繰り返し実施することにより、バックライト３０とバックライト８０を異なるデューティー比のＰＷＭ信号で駆動することが可能となる。なお、一定期間Ｔ１とＴ２は、同一であっても、同一でなくてもよい。
【００４８】
上記した構成によれば、第１のＬＥＤバックライト３０に備えられたＬＥＤ３１ａ〜３１ｄ、３２ａ〜３２ｄ、３３ａ〜３３ｄ、３４ａ〜３４ｄを駆動するための第１のＰＷＭ信号と、第２のＬＥＤバックライト８０に備えられたＬＥＤ８１ａ〜８１ｄ、８２ａ〜８２ｄ、８３ａ〜８３ｄ、８４ａ〜８４ｄを駆動するための第２のＰＷＭ信号を予め定められた期間毎に交互に送出するＣＰＵ６０と、ＣＰＵ６０より第１のＰＷＭ信号が送出されている期間中には、当該第１のＰＷＭ信号のパルス幅に応じた電流が第１のＬＥＤバックライト３０に備えられたＬＥＤ３１ａ〜３１ｄ、３２ａ〜３２ｄ、３３ａ〜３３ｄ、３４ａ〜３４ｄに流れ、ＣＰＵ６０より第２のＰＷＭ信号が送出されている期間中には、当該第２のＰＷＭ信号のパルス幅に応じた電流が第２のＬＥＤバックライト８０に備えられたＬＥＤ８１ａ〜８１ｄ、８２ａ〜８２ｄ、８３ａ〜８３ｄ、８４ａ〜８４ｄに流れるように電流切替制御が行われるので、ＣＰＵ６０および制御回路５０を共通化しても、液晶パネルの輝度を別々に調整できる。また、部品点数の低減を図ることもできる。
【００４９】
また、第１のＬＥＤバックライト３０に備えられたＬＥＤ３１ａ〜３１ｄ、３２ａ〜３２ｄ、３３ａ〜３３ｄ、３４ａ〜３４ｄの順方向降下電圧に基づいて当該第１のＬＥＤバックライトに対して電源の電圧を最適化した第１の定電圧を生成するとともに、第２のＬＥＤバックライト８０に備えられたＬＥＤ８１ａ〜８１ｄ、８２ａ〜８２ｄ、８３ａ〜８３ｄ、８４ａ〜８４ｄの順方向降下電圧に基づいて当該第２のＬＥＤバックライトに対して電源の電圧を最適化した第２の定電圧を生成する電源回路２０を備え、制御回路４０、５０は、ＣＰＵ６０より第１のＰＷＭ信号が送出されている期間Ｔ１中には、電源回路２０により生成された第１の定電圧を第１のＬＥＤバックライト３０に供給させ、ＣＰＵ６０より第２のＰＷＭ信号が送出されている期間Ｔ２中には、電源回路２０により生成された第２の定電圧を第２のＬＥＤバックライト８０に供給させるように、電源回路２０が制御されるので、電源回路２０を共通化しつつ、電源電圧の最適化を図ることができ、ＬＥＤ駆動回路４０の損失を低減することができる。
【００５０】
また、制御回路４０、５０は、第１のＬＥＤバックライト３０に備えられたＬＥＤ３１ａ〜３１ｄ、３２ａ〜３２ｄ、３３ａ〜３３ｄ、３４ａ〜３４ｄと第２のＬＥＤバックライト８０に備えられたＬＥＤ８１ａ〜８１ｄ、８２ａ〜８２ｄ、８３ａ〜８３ｄ、８４ａ〜８４ｄを駆動するための共通のＬＥＤ駆動用トランジスタ４１〜４４を備え、電源回路２０により生成された第１の定電圧が第１のＬＥＤバックライト３０に供給され、電源回路２０により生成された第２の定電圧が第２のＬＥＤバックライト８０に供給されていない期間中には、ＬＥＤ駆動用トランジスタ４１〜４４により第１のＬＥＤバックライト（３０）に備えられたＬＥＤ（３１ａ〜３１ｄ、３２ａ〜３２ｄ、３３ａ〜３３ｄ、３４ａ〜３４ｄ）に、第１のＰＷＭ信号のパルス幅に応じた電流が流れるようにし、電源回路２０により生成された第２の定電圧が第２のＬＥＤバックライト８０に供給され、電源回路２０により生成された第１の定電圧が第１のＬＥＤバックライト３０に供給されていない期間中には、ＬＥＤ駆動用トランジスタ４１〜４４により第２のＬＥＤバックライト（８０）に備えられたＬＥＤ（８１ａ〜８１ｄ、８２ａ〜８２ｄ、８３ａ〜８３ｄ、８４ａ〜８４ｄ）に、第２のＰＷＭ信号のパルス幅に応じた電流が流れるようになっているので、第１のＬＥＤバックライト３０に備えられたＬＥＤ３１ａ〜３１ｄ、３２ａ〜３２ｄ、３３ａ〜３３ｄ、３４ａ〜３４ｄと第２のＬＥＤバックライト８０に備えられたＬＥＤ８１ａ〜８１ｄ、８２ａ〜８２ｄ、８３ａ〜８３ｄ、８４ａ〜８４ｄを駆動するためのＬＥＤ駆動用トランジスタ４１〜４４を共用することができ、部品点数を削減することが可能である。
【００５１】
また、各バックライト３０に備えられた各ＬＥＤに流れる電流の調整を１つの操作部７０でできる。すなわち、１つの操作部７０で第１、第２の表示装置１、２の輝度調整を行うことができる。例えば、乗員の手元に配置される表示装置に操作部を備えることにより、遠方に配置された表示装置の輝度調整を手元で操作することも可能である。
【００５２】
（第２実施形態）
本発明の第２実施形態に係る液晶表示システムのブロック構成を図４に示す。第１実施形態に係る液晶表示システムでは、ＣＰＵ６０のイネーブル端子ＥＮ１、ＥＮ２から出力される各イネーブル信号によりＤＣ／ＤＣコンバータ２０の出力電圧Ｖｏを切り替えるとともに、イネーブル端子ＥＮ１、ＥＮ２から出力される各イネーブル信号に同期させてバックライト３０に備えられた発光ダイオードに電流を流すためのＰＷＭ信号とバックライト８０に備えられた発光ダイオードに電流を流すためのＰＷＭ信号を交互に出力する構成を示したが、本実施形態では、ＤＣ／ＤＣコンバータ２０の出力電圧Ｖｏの切替は実施しないようになっている。ただし、このような構成では、制御回路５０がＰＷＭ信号の切替タイミングを認識できなくなってしまうため、ＣＰＵ６０から制御回路５０へ切替タイミングを指示するためのチャンネル制御情報（図中、ＣＨ制御と記す）が入力されるようになっており、制御回路５０は、このチャンネル制御情報に同期させてＳ１、Ｓ２端子よりバックライト３０に備えられた発光ダイオードに電流を流すためのＰＷＭ信号とバックライト８０に備えられた発光ダイオードに電流を流すためのＰＷＭ信号を交互に出力するようになっている。
【００５３】
したがって、本実施形態では、バックライト３０とバックライト８０を１つのバックライトとしてみなし、このバックライトに対して電源の電圧が最適化された定電圧が各バックライト３０、８０に供給される。
【００５４】
図５に、ＣＰＵ６０のＰＷＭ端子より出力されるＰＷＭ信号（図中、ＰＷＭと記す）、チャンネル制御情報（図中、ＣＨ制御と記す）、制御回路５０のＳ１、Ｓ２端子より出力されるＰＷＭ信号（図中、Ｓ１／Ｓ２と記す）、制御回路５０のＳ３、Ｓ４端子より出力されるＰＷＭ信号（図中、Ｓ３／Ｓ４と記す）、バックライト３０に設けられた各発光ダイオー３１ａ〜３１ｄ、３２ａ〜３２ｄに流れる電流（図中、Ｉ３１／Ｉ３２と記す）、バックライト８０に設けられた各発光ダイオー８１ａ〜８１ｄ、８２ａ〜８２ｄに流れる電流（図中、Ｉ８１／Ｉ８２と記す）の波形を示す。
【００５５】
図５に示すように、ＣＰＵ６０よりバックライト３０に備えられた発光ダイオードを駆動するためのＰＷＭ信号が送出されている期間Ｔ１中には、当該ＰＷＭ信号のパルス幅に応じた電流がバックライト３０に備えられた発光ダイオード３１ａ〜３１ｄ、３２ａ〜３２ｄに流れ、ＣＰＵ６０よりバックライト８０に備えられた発光ダイオードを駆動するためのＰＷＭ信号が送出されている期間Ｔ２中には、当該ＰＷＭ信号のパルス幅に応じた電流がバックライト８０に備えられた発光ダイオード８１ａ〜８１ｄ、８２ａ〜８２ｄに流れるように電流切替制御が行われる。
【００５６】
（その他の実施形態）
上記第１、第２実施形態では、ＬＥＤ駆動回路４０から入力される検出電圧Ｖｄｅｔ１、２のうち低い方の検出電圧と基準電圧Ｖｒｅｆが等しくなるように、制御端子Ｃｏｎｔから、Ｎチャネル型ＭＯＳトランジスタ２２をスイッチング制御するための制御信号を出力して、ＤＣ／ＤＣコンバータ２０から出力電圧Ｖｏを出力させるようにしたが、このように検出電圧Ｖｄｅｔを検出することなく、例えば、ＬＥＤ駆動回路４０に設けられた発光ダイオードに流れる電流を検出して、ＬＥＤ駆動回路４０に対して電源電圧を最適化した定電圧ＶｏをＤＣ／ＤＣコンバータ２０から出力させるようにしてもよい。
【００５７】
また、上記実施形態では、ＣＰＵ６０のＰＷＭ端子からバックライト３０に備えられた発光ダイオードに電流を流すためのＰＷＭ信号とバックライト８０に備えられた発光ダイオードに電流を流すためのＰＷＭ信号を交互に出力する構成を示したが、別々の端子から各ＰＷＭ信号を交互に出力する構成としてもよい。
【００５８】
また、上記第１、第２実施形態では、バックライト３０およびバックライト８０の各ＬＥＤをＰＷＭ駆動するためのトランジスタ４１〜４４と、バックライト３０およびバックライト８０の各ＬＥＤに定電流を流すためのトランジスタ４５〜４８を別々に構成したが、例えば、トランジスタ４１とトランジスタ４５を１つのトランジスタで構成するといったように、ＰＷＭ駆動するためのトランジスタと定電流を流すためのトランジスタを１つのトランジスタで構成するようにしてもよい。
【００５９】
また、上記第１、第２実施形態では、機器の内部電源１０からの車載バッテリ１０からの入力電圧Ｖｉｎを昇圧するＤＣ／ＤＣコンバータ２０を備えた構成を示したが、ＤＣ／ＤＣコンバータ２０としては、必ずしも入力電圧Ｖｉｎを昇圧するものである必要はない。
【００６０】
また、上記第１、第２実施形態では、操作部７０を操作することにより、第１の液晶表示装置１の液晶パネル１ａの輝度と第２の液晶表示装置２の液晶パネル２ａの輝度を別々に調整できるようにした構成を示したが、操作部７０の操作の限定されるものではなく、操作部７０の操作以外の各種設定条件、例えば、映像ソース（地図表示、ＤＶＤ再生表示等）、周囲の明るさ等に応じて第１の液晶表示装置１の液晶パネル１ａの輝度と第２の液晶表示装置２の液晶パネル２ａの輝度を別々に調整できるようにしてもよい。また、輝度調整はＣＰＵ６０が周りの環境や動作状態により自動的に調整してもよい。
【００６１】
また、上記第１実施形態では、直列接続された発光ダイオード３１ａ〜３１ｄ、３２ａ〜３２ｄ、３３ａ〜３３ｄ、３４ａ〜３４ｄによりバックライト３０を構成し、直列接続された発光ダイオード８１ａ〜８１ｄ、８２ａ〜８２ｄ、８３ａ〜８３ｄ、８４ａ〜８４ｄによりバックライト８０を構成し、上記第２実施形態では、直列接続された発光ダイオード３１ａ〜３１ｄ、３２ａ〜３２ｄによりバックライト３０を構成し、直列接続された発光ダイオード８１ａ〜８１ｄ、８２ａ〜８２ｄによりバックライト８０を構成したが、バックライト３０、８０を構成する発光ダイオードの数および発光ダイオードの接続の仕方は、上記実施形態に示したものに限定されるものではなく、種々なる形態で実施することができる。
【００６２】
また、上記第１実施形態では、直列接続された発光ダイオード３１ａ〜３１ｄと、直列接続された３２ａ〜３２ｄと、直列接続された３３ａ〜３３ｄと、直列接続された３４ａ〜３４ｄを、ＰＷＭ信号を用いて同時に駆動したが、同時である必要はなく、例えば、一定期間Ｔ１内で、順次ずらすようにしてもよい。
【００６３】
また、上記第１、第２実施形態では、第１の液晶表示装置１と第２の液晶表示装置２を別体として構成したが、一体として構成してもよい。
【００６４】
また、上記第１、第２実施形態では、本液晶表示システムを、第１の液晶表示装置１と第２の液晶表示装置２の２つの液晶表示装置１で構成したが、３つ以上の液晶表示装置を用いて構成してもよい。
【００６５】
また、上記第１、第２実施形態では、第１の液晶表示装置１と第２の液晶表示装置２の２つの液晶表示装置１で構成したが、例えば、第１の液晶表示装置１の周囲に、背面側からの照明によりスイッチ名称等が透過して見えるように構成された操作スイッチを配置し、この操作スイッチを背面側からの照明するＬＥＤバックライトとして、第２の液晶表示装置２のＬＥＤバックライトを用いるようにしてもよい。
【００６６】
また、上記第第２実施形態では、ＣＰＵ６０より出力されたチャンネル制御情報が、制御回路５０へ直接入力されているが、通信を介してＣＰＵ６０より制御回路５０へチャンネル制御情報を送信するように構成してもよい。
【００６７】
また、上記第１、第２実施形態では、２つの表示装置を備えた液晶表示システムについて示したが、３つ以上の表示装置を備えた液晶表示システムとして構成してもよい。
【符号の説明】
【００６８】
１    第１の液晶表示装置
１ａ  第１の液晶パネル
２    第２の液晶表示装置
２ａ  第２の液晶パネル
３    接続線
１０  車載バッテリ
２０  ＤＣ／ＤＣコンバータ
３０  バックライト
４０  ＬＥＤ駆動回路
５０  制御回路
６０  ＣＰＵ
７０  操作部
８０  バックライト
【図１】
2011191658.tif 000003
【図２】
2011191658.tif 000004
【図３】
2011191658.tif 000005
【図４】
2011191658.tif 000006
【図５】
2011191658.tif 000007